(57)【特許請求の範囲】
【請求項１】
表面が凸面とされた複数の凸状レンズが並列に配置されたレンチキュラーレンズと、
前記凸状レンズの前記表面とは反対側の面である裏面側に設けられたレンチキュラー画像と、
前記レンチキュラー画像の前記レンチキュラーレンズに対向する表面とは反対側の面である裏面側に設けられた反射防止層と、
を有し、前記レンチキュラー画像は、
複数の表示用画像からそれぞれストライプ状に抽出され、前記凸状レンズの前記裏面側の対応する位置にそれぞれ配列された複数の表示用画像列と、
複数の前記表示用画像列のうち、異なる前記表示用画像から抽出された互いに隣り合う表示用画像列の間に設けられた透明スリット画像列と、
を含む、レンチキュラー表示体。
【請求項２】
前記表示用画像の残存濃度は０％以上４０％以下とされている、請求項１に記載のレンチキュラー表示体。
【請求項３】
前記透明スリット画像列の配列方向の幅は、前記凸状レンズの並列方向の幅の５％以上５０％以下とされている、請求項１又は２に記載のレンチキュラー表示体。
【請求項４】
複数の前記表示用画像はそれぞれ文字を含んでいる、請求項１〜３のいずれか１項に記載のレンチキュラー表示体。
【請求項５】
前記レンチキュラー画像は、前記レンチキュラーレンズの裏面に接着された記録媒体に形成されている、請求項１〜４のいずれか１項に記載のレンチキュラー表示体。
【請求項６】
前記レンチキュラー画像は、前記レンチキュラーレンズの裏面に形成されている、請求項１〜４のいずれか１項に記載のレンチキュラー表示体。
【請求項７】
複数の表示用画像からそれぞれストライプ状に抽出された複数の表示用画像列をそれぞれ対応する位置に配列し、複数の前記表示用画像列のうち、異なる前記表示用画像から抽出された互いに隣り合う表示用画像列の間に透明スリット画像列を設けてレンチキュラー画像を形成する工程と、
表面が凸面とされた複数の凸状レンズが並列に配置されたレンチキュラーレンズの前記表面とは反対側の面である裏面側に、前記レンチキュラー画像を設ける工程と、
前記レンチキュラー画像の前記レンチキュラーレンズに対向する表面とは反対側の面である裏面側に、反射防止層を設ける工程と、
を含むレンチキュラー表示体の製造方法。
【請求項８】
前記透明スリット画像列の配列方向の幅は、前記凸状レンズの並列方向の幅の５％以上５０％以下とされている、請求項７に記載のレンチキュラー表示体の製造方法。
【請求項９】
複数の前記表示用画像はそれぞれ文字を含んでいる、請求項７又は８に記載のレンチキュラー表示体の製造方法。
【請求項１０】
記録媒体の表面に前記レンチキュラー画像を形成し、前記記録媒体の前記表面と前記レンチキュラーレンズの裏面とを張り合わせる、請求項７〜９のいずれか１項に記載のレンチキュラー表示体の製造方法。
【請求項１１】
前記レンチキュラーレンズの裏面に前記レンチキュラー画像を形成する、請求項７〜９のいずれか１項に記載のレンチキュラー表示体の製造方法。
【発明の詳細な説明】
【技術分野】
【０００１】
本開示は、レンチキュラー表示体及びレンチキュラー表示体の製造方法に関する。
【背景技術】
【０００２】
見る角度によって異なる画像を表示する媒体として、表面が凸面とされ互いに並列に配置された複数の凸状レンズからなるレンチキュラーレンズを有するレンチキュラー表示体が知られている。【０００３】
レンチキュラー表示体は、一般的に、レンチキュラーレンズの裏面側（凸状レンズの表面とは反対側の面側）に、インターレースされた複数の画像を組合せた画像列群（レンチキュラー画像）を配置し、レンチキュラーレンズを通してそれらの画像列群を観察したときに、観察する角度により画像列群のうち１種類あるいは２種類以上の画像が表示される。【０００４】
このようなレンチキュラー表示体として、例えば特開平１１−９５１６８号公報には、レンチキュラーシート（レンチキュラーレンズ）と、左眼画像、右眼画像、及びブランク画素で構成されたサンプリング画像（レンチキュラー画像）と、を備えるレンチキュラー表示体が開示されている。【０００５】
また、特許第５５００４７８号公報には、複数のシリンドリカルレンズ（凸状レンズ）と、隣接するシリンドリカルレンズの境界付近を避けて表示される表示画像（レンチキュラー画像）と、を備えるレンチキュラーレンズが開示されている。
【発明の概要】
【発明が解決しようとする課題】
【０００６】
ここで、一例として、図６〜図８を用いて、１つのレンチキュラー表示体において互いに異なる文字を含む表示用画像Ａ（以下、「画像Ａ」という場合がある。）と表示用画像Ｂ（以下、「画像Ｂ」という場合がある。）をそれぞれ別々に表示する場合について説明する。【０００７】
図８に示すように、レンチキュラー表示体１００は、表面が凸面とされた複数の凸状レンズ１０２からなるレンチキュラーレンズ１０４を有している。レンチキュラーレンズ１０４の裏面側（図８における下側）には、見る角度によって表示用画像Ａ、Ｂが切り替わるように、各表示用画像Ａ、Ｂを表示するための表示用画像列Ａｎ、Ｂｎ（以下、「画像列Ａｎ、Ｂｎ」という場合がある。）がそれぞれ対応する位置に並列して配置されている。なお、画像列Ａｎ、Ｂｎによってレンチキュラー画像１０６が構成される。【０００８】
具体的には、レンチキュラー表示体１００が、例えばＮ個（Ｎは２以上の整数）の凸状レンズ１０２が並列されたレンチキュラーレンズ１０４を備える場合、例えば図６に示すように、凸状レンズ１０２の並列方向の一端から数えてｎ番目（ｎはＮ以下の任意の１以上の整数）の凸状レンズ１０２下のＳで示される領域には、図７に示すように、画像Ａ、Ｂをそれぞれストライプ状に分割して抽出した画像列Ａｎと画像列Ｂｎが隣り合うように、インターレース状に並列に配置される。【０００９】
図８に示すように、１番目〜Ｎ番目までの凸状レンズ１０２下において、ｎ番目の凸状レンズ１０２と同様にそれぞれ画像Ａ、Ｂから抽出された画像列Ａｎ、Ｂｎがそれぞれ対応した位置で並列に配置される。そして、レンチキュラーレンズ１０４を通じて観察者の見る角度によって、画像Ａから抽出された画像列Ａｎが合成されることにより画像Ａが表示され、あるいは、画像Ｂから抽出された画像列Ｂｎが合成されることにより画像Ｂが表示される。【００１０】
ここで、図８に示すように、レンチキュラーレンズ１０４内に入射した光は、レンチキュラー画像１０６の表面で反射するとともに、一部がレンチキュラー画像１０６を透過する。レンチキュラー画像１０６を透過した光は、レンチキュラー画像１０６の裏面側（図８における下側）に配置された物体（例えばレンチキュラー画像１０６の裏面に貼り合わされた紙１０８等）の表面で反射し、レンチキュラーレンズ１０４に迷光（Ｓｔｒａｙ  Ｌｉｇｈｔ）が生じる。【００１１】
この迷光が、レンチキュラー画像１０６の表面で反射した光とともにレンチキュラーレンズ１０４から出射されることにより、画像Ａ、Ｂの重なりが生じて画像Ａ、Ｂの識別力が低下する虞がある。特に観察者の観察画像（実際に見える画像）が画像Ａから画像Ｂへ又は画像Ｂから画像Ａへと切替わる箇所、例えば、図８に示すように、左右の眼でそれぞれ異なる画像（左眼が画像Ａ、右眼が画像Ｂ）を観察する角度では、画像Ａ、Ｂの重なりが生じ易い。【００１２】
特開平１１−９５１６８号公報に開示されているレンチキュラー表示体では、サンプリング画像（レンチキュラー画像）の左眼画像と右眼画像との間にブランク画素を設けることで、画像の重なりを抑制している。しかし、サンプリング画像（レンチキュラー画像）の裏面側で反射した光により、レンチキュラーシート（レンチキュラーレンズ）内に迷光が生じることを抑制することは困難である。【００１３】
同様に、特許第５５００４７８号公報に開示されているレンチキュラーレンズでは、隣接するシリンドリカルレンズの境界付近を避けて表示画像（レンチキュラー画像）を表示することで、表示画像が混じり合うことによる画質の劣化を抑制している。しかし、表示画像（レンチキュラー画像）の裏面側で反射した光により、レンチキュラーレンズ内に迷光が生じることを抑制することは困難である。【００１４】
本開示は、上記事実を考慮して、迷光により表示用画像の識別力が低下することを抑制することができるレンチキュラー表示体及びレンチキュラー表示体の製造方法を提供することを目的とする。
【課題を解決するための手段】
【００１５】
本開示の第１態様に係るレンチキュラー表示体は、表面が凸面とされた複数の凸状レンズが並列に配置されたレンチキュラーレンズと、凸状レンズの表面とは反対側の面である裏面側に設けられたレンチキュラー画像と、レンチキュラー画像のレンチキュラーレンズに対向する表面とは反対側の面である裏面側に設けられた反射防止層と、を有し、レンチキュラー画像は、複数の表示用画像からそれぞれストライプ状に抽出され、凸状レンズの裏面側の対応する位置にそれぞれ配列された複数の表示用画像列と、複数の表示用画像列のうち、異なる表示用画像から抽出された互いに隣り合う表示用画像列の間に設けられた透明スリット画像列と、を含む。【００１６】
上記構成によれば、レンチキュラー画像の裏面側に設けられた反射防止層によって凸状レンズに入射した光の反射を抑制することで迷光の発生を抑制し、かつ、互いに隣り合う表示用画像列の間に設けられた透明スリット画像列によって表示用画像の重なりを抑制することにより、表示用画像の識別力が低下することを抑制することができる。【００１７】
なお、本開示において「表示用画像」とは、レンチキュラー表示体によって表示することを目的とした画像、すなわち、観察者がレンチキュラー表示体をレンチキュラーレンズ側から観察したときに観察者に認識させることを目的とした画像を指す。また、本開示において「透明」とは、波長４００〜７００ｎｍの全光線透過率が８０％以上であることを言う。【００１８】
また、本開示において「凸状レンズの表面とは反対側の面である裏面側に設けられたレンチキュラー画像」には、凸状レンズの裏面に接するように又は裏面から離間してレンチキュラー画像を配置する構成の他、凸状レンズ（レンチキュラーレンズ）にレンチキュラー画像が直接形成されている構成を含む。【００１９】
同様に、本開示において「レンチキュラー画像のレンチキュラーレンズに対向する表面とは反対側の面である裏面側に設けられた反射防止層」には、レンチキュラー画像の裏面に接するように又は裏面から離間して反射防止層を配置する構成の他、レンチキュラー画像の裏面に反射防止層が直接形成されている構成を含む。【００２０】
本開示の第２態様に係るレンチキュラー表示体は、第１態様に記載のレンチキュラー表示体において、表示用画像の残存濃度は０％以上４０％以下とされている。【００２１】
上記構成によれば、表示用画像の残存濃度を０％以上４０％以下にすることにより、残存濃度が４０％超の場合と比較して、表示用画像の視認性をより向上させることができる。【００２２】
ここで、本開示において「残存濃度」とは、レンチキュラーレンズの表面側において、複数の角度から観察画像をデジタルカメラで撮影し、撮影した観察画像を２値化し、複数の角度のうち１つの任意の角度で見えるはずの表示用画像列Ａｎ（例えば黒色の一様濃度の画像列）及び見えるはずのない表示用画像列Ｂｎ（例えば白色の一様濃度の画像列）の各々の濃度を２５６階調のデジタルデータで定量化し、下記の（１）式で算出したものである。なお、本開示において「観察画像」とは、レンチキュラーレンズを通じて観察者が表示用画像（表示用画像列）を見た場合に、実際に見える画像を指す。
残存濃度（％）＝表示用画像列Ｂｎの濃度／表示用画像列Ａｎの濃度・・・・（１）【００２３】
本開示の第３態様に係るレンチキュラー表示体は、第１態様又は第２態様に記載のレンチキュラー表示体において、透明スリット画像列の配列方向の幅が、凸状レンズの並列方向の幅の５％以上５０％以下とされている。【００２４】
上記構成によれば、透明スリット画像列の幅を凸状レンズの幅の５％以上とすることで、透明スリット画像列の幅が凸状レンズの幅の５％未満である構成と比較して、表示用画像の重なりを抑制することができる。また、透明スリット画像列の幅を凸状レンズの幅の５０％以下とすることで、透明スリット画像列の幅が凸状レンズの幅の５０％超である構成と比較して、複数の表示用画像の連続性を維持することができる。【００２５】
本開示の第４態様に係るレンチキュラー表示体は、第１態様〜第３態様のいずれか１つの態様に記載のレンチキュラー表示体において、複数の表示用画像はそれぞれ文字を含んでいる。【００２６】
上記構成によれば、表示用画像がそれぞれ文字を含んでいる場合、特に表示用画像には可読性が必要とされるが、レンチキュラー表示体に反射防止層及び透明スリット画像列を設けることで、表示用画像の識別力が低下することを抑制することができ、文字を知覚することが容易となる。【００２７】
本開示の第５態様に係るレンチキュラー表示体は、第１態様〜第４態様のいずれか１つの態様に記載のレンチキュラー表示体において、レンチキュラー画像は、レンチキュラーレンズの裏面に接着された記録媒体に形成されている。【００２８】
上記構成によれば、レンチキュラーレンズの裏面に接着された記録媒体にレンチキュラー画像が形成されているため、レンチキュラー画像がレンチキュラーレンズに直接形成されている構成と比較して、レンチキュラー画像を容易に形成することができる。【００２９】
本開示の第６態様に係るレンチキュラー表示体は、第１態様〜第４態様のいずれか１つの態様に記載のレンチキュラー表示体において、レンチキュラー画像は、レンチキュラーレンズの裏面に形成されている。【００３０】
上記構成によれば、レンチキュラーレンズの裏面にレンチキュラー画像が直接形成されているため、レンチキュラー画像が形成された記録媒体がレンチキュラーレンズに接着されている構成と比較して、低コストでレンチキュラー画像を形成することができる。【００３１】
本開示の第７態様に係るレンチキュラー表示体の製造方法は、複数の表示用画像からそれぞれストライプ状に抽出された複数の表示用画像列をそれぞれ対応する位置に配列し、複数の表示用画像列のうち、異なる表示用画像から抽出された互いに隣り合う表示用画像列の間に透明スリット画像列を設けてレンチキュラー画像を形成する工程と、表面が凸面とされた複数の凸状レンズが並列に配置されたレンチキュラーレンズの表面とは反対側の面である裏面側に、レンチキュラー画像を設ける工程と、レンチキュラー画像のレンチキュラーレンズに対向する表面とは反対側の面である裏面側に、反射防止層を設ける工程と、を含む。【００３２】
上記構成によれば、レンチキュラー画像の裏面側に反射防止層を設けることで凸状レンズに入射した光の反射を抑制して迷光の発生を抑制し、かつ、互いに隣り合う表示用画像列の間に透明スリット画像列を設けることで表示用画像の重なりを抑制することにより、表示用画像の識別力が低下することを抑制することができる。【００３３】
本開示の第８態様に係るレンチキュラー表示体の製造方法は、第７態様に記載のレンチキュラー表示体の製造方法において、透明スリット画像列の配列方向の幅は、凸状レンズの並列方向の幅の５％以上５０％以下とされている。【００３４】
上記構成によれば、透明スリット画像列の幅を凸状レンズの幅の５％以上とすることで、透明スリット画像列の幅が凸状レンズの幅の５％未満である構成と比較して、表示用画像の重なりを抑制することができる。また、透明スリット画像列の幅を凸状レンズの幅の５０％以下とすることで、透明スリット画像列の幅が凸状レンズの幅の５０％超である構成と比較して、複数の表示用画像の連続性を維持することができる。【００３５】
本開示の第９態様に係るレンチキュラー表示体の製造方法は、第７態様又は第８態様に記載のレンチキュラー表示体の製造方法において、複数の表示用画像はそれぞれ文字を含んでいる。【００３６】
上記構成によれば、表示用画像がそれぞれ文字を含んでいる場合、特に表示用画像には可読性が必要とされるが、レンチキュラー表示体に反射防止層及び透明スリット画像列を設けることで、表示用画像の識別力が低下することを抑制することができ、文字を知覚することが容易となる。【００３７】
本開示の第１０態様に係るレンチキュラー表示体の製造方法は、第７態様〜第９態様のいずれか１つの態様に記載のレンチキュラー表示体の製造方法において、記録媒体の表面にレンチキュラー画像を形成し、記録媒体の表面とレンチキュラーレンズの裏面とを張り合わせる。【００３８】
上記構成によれば、レンチキュラー画像が形成された記録媒体とレンチキュラーレンズとを張り合わせることで、レンチキュラー表示体を製造することができる。このため、レンチキュラー画像をレンチキュラーレンズに形成する構成と比較して、レンチキュラー画像を容易に形成することができる。【００３９】
本開示の第１１態様に係るレンチキュラー表示体の製造方法は、第７態様〜第９態様のいずれか１つの態様に記載のレンチキュラー表示体の製造方法において、レンチキュラーレンズの裏面にレンチキュラー画像を形成する。【００４０】
上記構成によれば、レンチキュラーレンズの裏面にレンチキュラー画像を直接形成することで、レンチキュラー表示体を製造することができる。このため、レンチキュラー画像が形成された記録媒体をレンチキュラーレンズに接着する構成と比較して、低コストでレンチキュラー画像を形成することができる。
【発明の効果】
【００４１】
本開示によれば、迷光により表示用画像の識別力が低下することを抑制することができる。
【図面の簡単な説明】
【００４２】
【図１】第１実施形態に係るレンチキュラー表示体の構成を示す斜視図である。
【図２】第１実施形態に係るレンチキュラー表示体の構成を示す側面図及び平面図である。
【図３】図２に示すレンチキュラー表示体の分解図である。
【図４】第２実施形態に係るレンチキュラー表示体の厚さ方向の構成を示す側面図である。
【図５】第３実施形態に係るレンチキュラー表示体の厚さ方向の構成を示す側面図である。
【図６】従来のレンチキュラー表示体において別々に表示する２つの表示用画像を示す説明図である。
【図７】図６におけるＳで示す領域の画像列群を示す説明図である。
【図８】図７に示す画像列群を含む従来のレンチキュラー表示体の厚さ方向の構成を示す側面図である。
【発明を実施するための形態】
【００４３】
（第１実施形態）
以下、本開示の第１実施形態に係るレンチキュラー表示体について、図１〜図３を用いて説明する。なお、図中において、Ｘ方向はレンチキュラー表示体の幅方向、Ｙ方向はレンチキュラー表示体の長さ方向（長手方向）、Ｚ方向はレンチキュラー表示体の厚さ方向を指す。
【００４４】
＜レンチキュラーレンズの構成＞
本実施形態のレンチキュラー表示体１０は、一例として図１に示すように、複数の凸状レンズ１２からなるレンチキュラーレンズ１４を備えている。凸状レンズ１２は、球面状とされた凸面である表面１２Ａ（図１における上面）と、表面１２Ａとは反対側の面である裏面１２Ｂ（図１における下面）と、を有する略半円筒形状のシリンドリカルレンズであり、互いに幅方向（Ｘ方向）に並列に配置されている。
【００４５】
レンチキュラーレンズ１４、すなわち各凸状レンズ１２は、光透過性を有する樹脂材料によって形成されている。使用する樹脂材料としては、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、アクリロニトリル-スチレン共重合樹脂（ＡＳ樹脂）、ポリプロピレン樹脂、ポリエチレン樹脂、ポリエチレンテレフタレート樹脂、グリコール変性ポリエチレンテレフタレート樹脂、ポリ塩化ビニル樹脂（ＰＶＣ）、熱可塑性エラストマー、又はこれらの共重合体、シクロオレフィンポリマー等が挙げられる。
【００４６】
また、溶融押出しやすさを考慮すると、例えば、ポリメチルメタクリレート樹脂（ＰＭＭＡ）、ポリカーボネート樹脂、ポリスチレン樹脂、メタクリレート-スチレン共重合樹脂（ＭＳ樹脂）、ポリエチレン樹脂、ポリエチレンテレフタレート樹脂、グリコール変性ポリエチレンテレフタレート樹脂のような溶融粘度の低い樹脂を用いるのが好ましい。
【００４７】
さらに、エンボスローラの表面に形成されたレンズ形状が転写されやすく、エンボス時にレンズ層にひび割れが生じにくいという理由から、グリコール変性ポリエチレンテレフタレート樹脂を用いるのがより好ましい。なお、レンチキュラーレンズ１４は、複数の樹脂材料を含んで構成されていてもよい。
【００４８】
凸状レンズ１２の幅（レンズピッチ）は、印刷適性、加工性、及び画像の分解能の観点から５０ＬＰＩ（Ｌｉｎｅ  Ｐｅｒ  Ｉｎｃｈ、１インチ（２．５４ｃｍ）あたりのレンズ本数）以上３００ＬＰＩ以下であることが好ましく、１００ＬＰＩ以上２００ＬＰＩ以下であることがより好ましい。また、凸状レンズ１２の裏面１２Ｂ側、すなわちレンチキュラーレンズ１４の裏面１４Ｂ側には、レンチキュラー画像１６が設けられている。
【００４９】
具体的には、記録媒体としての透明な樹脂製のフィルム１８の表面１８Ａにレンチキュラー画像１６が形成（印刷）されており、図示しない透明な接着層を介してフィルム１８の表面１８Ａがレンチキュラーレンズ１４の裏面１４Ｂに貼り合わされている。
【００５０】
＜レンチキュラー画像の構成＞
レンチキュラー画像１６は、一例として、２つの表示用画像をそれぞれ別々に表示するための表示用画像列２０、２２を含む画像列群から構成されている。具体的には、図２に示すように、各表示用画像からストライプ状に抽出された表示用画像列２０、２２が、それぞれ対応する位置に凸状レンズ１２毎に一対ずつ配列されている。
【００５１】
表示用画像列２０、２２は、レンチキュラーレンズ１４の長手方向（Ｙ方向）に沿ってそれぞれ延びている。また、表示用画像列２０、２２は、レンチキュラーレンズ１４の幅方向（Ｘ方向）に沿って互いに間隔をあけて交互に配置されており、隣り合う表示用画像列２０、２２の間がそれぞれレンチキュラー画像１６の透明スリット画像列２４とされている。
【００５２】
複数の表示用画像列２０、２２の配列方向（Ｘ方向）の幅は互いに略同一とされており、複数の透明スリット画像列２４の配列方向（Ｘ方向）の幅も、それぞれ略同一とされている。なお、透明スリット画像列２４の配列方向（Ｘ方向）の幅は、狭すぎると表示用画像列２０、２２（表示用画像）の重なりを抑制することが困難となり、また、広すぎると表示用画像列２０、２２（表示用画像）の連続性を維持することが困難となる。
【００５３】
このため、透明スリット画像列２４の配列方向（Ｘ方向）の幅は、凸状レンズ１２の並列方向（Ｘ方向）の幅の５％以上５０％以下とされているのが好ましく、１０％以上３０％以下とされているのがより好ましく、１２％以上２０％以下とされているのが最も好ましい。なお、透明スリット画像列２４の配列方向（Ｘ方向）の幅は、それぞれ異なる大きさであってもよい。
【００５４】
なお、本実施形態において、表示用画像列２０、２２（表示用画像）は、それぞれ文字を含んでいる。また、レンチキュラー画像１６の裏面側、すなわちフィルム１８の表面１８Ａとは反対側の面である裏面１８Ｂ側には、反射防止層２６が設けられている。
【００５５】
＜反射防止層の構成＞
反射防止層２６は、４００ｎｍ〜７００ｎｍの可視領域全域にわたって低い反射特性（広帯域低反射特性）を有する層である。反射防止層の素材としては特に限定されず、有機系または無機系の素材を使用することができ、市販の反射防止膜を使用してもよい。
【００５６】
例えば有機系の反射防止膜としてはブリューワーサイエンス社製のＤＵＶ３０シリーズや、ＤＵＶ−４０シリーズ、シプレー社製のＡＲ−２、ＡＲ−３、ＡＲ−５、日産化学社製のＡＲＣシリーズ等が挙げられる。無機系の反射防止膜としては、二酸化チタン、窒化チタン、酸化クロム、酸化ニオブ、酸化タンタル、カーボン、二酸化ケイ素、アモルファスシリコン等の素材が挙げられる。
【００５７】
また反射防止層は単層でも多層でもよく、多層構造の場合は異なる素材を含有する複数の層を組み合わせてもよい。例えば図２に示すように、無機材料を含有する高屈折率膜２６Ａと、無機材料を含有する低屈折率膜２６Ｂとを、複数枚（本実施形態では４枚）交互に積層させた多層膜で構成されていてもよい。
【００５８】
「高屈折率膜」とは、波長５００ｎｍの光の屈折率が１．７以上である膜を指し、無機材料として例えば酸化チタンや酸化ニオブを含有している。また「低屈折率膜」とは、波長５００ｎｍの光の屈折率が高屈折率膜よりも低い１．７未満である膜を指し、無機材料として例えば二酸化ケイ素（シリカ）を含有している。
【００５９】
反射防止層２６は、真空蒸着法によってフィルム１８の裏面１８Ｂに全面にわたって蒸着されている。なお、反射防止層２６の材質や厚みは特に限定されず、要求される反射特性に応じて設定すればよい。例えば、本開示では、無機多層膜１として酸化チタン含有層／二酸化ケイ素含有層の積層体、無機多層膜２として五酸化ニオブ含有層／二酸化ケイ素含有層の積層体を用いている。
【００６０】
特に、凸状レンズ１２の表面１２Ａ側、すなわちレンチキュラーレンズ１４の表面１４Ａ側からレンチキュラー画像１６を観察した場合に、表示用画像列２０、２２（表示用画像）の残存濃度が０％以上４０％以下となるように反射防止層２６の材質や厚み、及び透明スリット画像列２４の幅を設定するのが好ましい。なお、残存濃度は、３０％以下とされているのがより好ましく、２８％以下とされているのが最も好ましい。
【００６１】
＜レンチキュラー表示体の製造方法＞
レンチキュラー表示体１０を製造する場合、まず、一例として、図６に示す表示用画像Ａと表示用画像Ｂをそれぞれストライプ状に分割し、表示用画像列２０、２２（図７における表示用画像列Ａｎ、Ｂｎ）を抽出する。
【００６２】
そして、フィルム１８の表面１８Ａの対応する位置に、インクジェット方式により表示用画像列２０、２２をそれぞれ印刷することで、図３に示すように、透明なフィルム１８に表示用画像列２０、２２を形成する。なお、表示用画像列２０、２２の印刷方法はインクジェット方式には限られず、オフセット印刷方式、電子写真方式等を用いてもよい。印刷精度や小ロット多品種製造適性などの特性から、オフセット印刷方式およびインクジェット方式が好ましく用いられる。
【００６３】
なお、フィルム１８に表示用画像列２０、２２を形成する際に、表示用画像列２０、２２を互いに間隔をあけて配置することで、表示用画像列２０と表示用画像列２２との間に透明スリット画像列２４を形成する。
【００６４】
すなわち、本実施形態のレンチキュラー表示体１０では、フィルム１８に何ら画像列を配置しない領域を設けることにより、透明スリット画像列２４を形成する。上記の工程により、表示用画像列２０、２２及び透明スリット画像列２４を含むレンチキュラー画像１６を形成する。
【００６５】
次に、フィルム１８の表面１８Ａを図示しない透明な接着層を介してレンチキュラーレンズ１４の裏面１４Ｂに貼り合わせることにより、レンチキュラーレンズ１４の裏面１４Ｂ側にレンチキュラー画像１６を設ける。そして、フィルム１８の裏面１８Ｂに反射防止層２６を蒸着することにより、レンチキュラー画像１６の裏面側に反射防止層２６を設ける。上記の工程により、レンチキュラー表示体１０を製造する。
【００６６】
＜作用及び効果＞
図２に示すように、観察者は、レンチキュラーレンズ１４の表面１４Ａ側からレンチキュラーレンズ１４を通じてレンチキュラー画像１６を観察する。このとき、本実施形態によれば、レンチキュラー画像１６の裏面側に反射防止層２６が設けられているため、凸状レンズ１２に入射した光の反射が反射防止層２６によって抑制され、レンチキュラーレンズ１４内の迷光の発生が抑制される。
【００６７】
また、本実施形態では、互いに隣り合う表示用画像列２０、２２の間に透明スリット画像列２４が設けられている。このため、観察者による観察画像が切替わる箇所において、左右の眼でそれぞれ異なる画像（例えば、左眼が表示用画像列２０の画像、右眼が透明スリット画像列２４の画像）を観察した場合であっても、透明スリット画像列２４の画像が透明であるため、画像の重なりが抑制される。
【００６８】
すなわち、透明スリット画像列２４を設けることにより、表示用画像列２０の画像と表示用画像列２２の画像とが半分ずつ重なることがほとんど又は全く無くなる。このため、表示用画像列２０、２２（表示用画像）の重なりを抑制することができ、表示用画像列２０、２２（表示用画像）の識別力が低下することを抑制することができる。
【００６９】
なお、本実施形態では、表示用画像列２０、２２（表示用画像）がそれぞれ文字を含んでいるため、特に可読性が必要とされるが、表示用画像列２０、２２の識別力の低下が抑制されるため、文字を知覚することが容易となる。
【００７０】
さらに、本実施形態によれば、透明スリット画像列２４の配列方向の幅を凸状レンズ１２の並列方向の幅の５％以上とすることで、透明スリット画像列２４によって表示用画像列２０の画像と表示用画像列２２の画像とが重なることを、より抑制することができる。また、透明スリット画像列２４の配列方向の幅を凸状レンズの並列方向の幅の５０％以下とすることで、表示用画像列２０、２２の連続性をより維持することができる。
【００７１】
また、本実施形態によれば、レンチキュラーレンズ１４の裏面１４Ｂに接着されたフィルム１８にレンチキュラー画像１６が形成されている。このため、レンチキュラー画像１６をレンチキュラーレンズ１４に直接形成する構成と比較して、レンチキュラー画像１６を容易に形成することができる。
【００７２】
また、本実施形態によれば、真空蒸着法によって反射防止層２６を形成している。このため、反射防止層２６を塗布や接着によってフィルム１８の裏面１８Ｂに形成する構成と比較して、反射防止層２６が剥離し難く、反射防止層２６を精度よく形成することができる。
【００７３】
なお、本実施形態によれば、表示用画像列２０、２２の残存濃度が０％以上４０％以下となるように反射防止層２６の材質や厚み、及び透明スリット画像列２４の幅を設定することで、表示用画像列２０、２２の視認性をより向上させることができる。
【００７４】
（第２実施形態）
以下、本開示の第２実施形態に係るレンチキュラー表示体について、図４を用いて説明する。なお、第１実施形態と同様の構成については説明を極力省略する。
【００７５】
＜構成＞
図４に示すように、本実施形態のレンチキュラー表示体３０は、第１実施形態のレンチキュラー表示体１０と同様に、複数の凸状レンズ３２からなるレンチキュラーレンズ３４を備えている。なお、凸状レンズ３２（レンチキュラーレンズ３４）は、透明な樹脂材料によって形成されている。
【００７６】
また、凸状レンズ３２の裏面３２Ｂ側、すなわちレンチキュラーレンズ３４の裏面３４Ｂ側には、レンチキュラー画像３６が設けられている。具体的には、レンチキュラーレンズ３４の裏面３４Ｂに、レンチキュラー画像３６の表示用画像列４０、４２を含む画像列群が直接形成（印刷）されている。
【００７７】
表示用画像列４０、４２は、レンチキュラーレンズ３４の幅方向（Ｘ方向）に沿って互いに間隔をあけて交互に配置されており、隣り合う表示用画像列４０、４２の間がそれぞれレンチキュラー画像３６の透明スリット画像列４４とされている。また、レンチキュラー画像３６の裏面側、すなわちレンチキュラーレンズ３４の裏面３４Ｂ側には、反射防止層４６が設けられている。
【００７８】
反射防止層４６は、例えば中空部を有する二酸化ケイ素粒子、すなわち中空シリカ粒子４６Ａを多数含有する単層膜で構成されている。なお、反射防止層４６は、中空シリカ粒子４６Ａを含有するコーティング剤をレンチキュラーレンズ３４の裏面３４Ｂに全面にわたって塗布することにより、形成されている。
【００７９】
＜作用及び効果＞
本実施形態によれば、レンチキュラーレンズ３４の裏面３４Ｂに、レンチキュラー画像３６を直接形成（印刷）している。このため、レンチキュラー画像３６が形成された記録媒体をレンチキュラーレンズ３４に接着する構成と比較して、部品点数や作業工程を減らすことができ、低コストでレンチキュラー画像３６を形成することができる。
【００８０】
また、本実施形態によれば、中空シリカ粒子４６Ａを含有するコーティング剤を塗布することにより、レンチキュラーレンズ３４の裏面３４Ｂに反射防止層４６を形成している。このため、真空蒸着法等により反射防止層４６を形成する構成と比較して、容易に反射防止層４６を形成することができる。
【００８１】
（第３実施形態）
以下、本開示の第３実施形態に係るレンチキュラー表示体について、図５を用いて説明する。なお、第１実施形態、第２実施形態と同様の構成については説明を省略する。
【００８２】
＜構成＞
図５に示すように、本実施形態のレンチキュラー表示体５０は、第１実施形態、第２実施形態のレンチキュラー表示体１０、３０と同様に、複数の凸状レンズ５２からなるレンチキュラーレンズ５４を備えている。
【００８３】
また、凸状レンズ５２の裏面５２Ｂ側、すなわちレンチキュラーレンズ５４の裏面５４Ｂ側には、レンチキュラー画像５６が設けられている。具体的には、記録媒体としての透明な樹脂製のフィルム５８の表面５８Ａに、レンチキュラー画像５６の表示用画像列６０、６２を含む画像列群が形成（印刷）されており、図示しない接着層を介してフィルム５８の表面５８Ａが、レンチキュラーレンズ５４の裏面５４Ｂに貼り合わされている。
【００８４】
表示用画像列６０、６２は、レンチキュラーレンズ５４の幅方向（Ｘ方向）に沿って互いに間隔をあけて交互に配置されており、隣り合う表示用画像列６０、６２の間がそれぞれレンチキュラー画像５６の透明スリット画像列６４とされている。また、レンチキュラー画像５６の裏面側、すなわちフィルム５８の裏面５８Ｂ側には、反射防止層６６が設けられている。
【００８５】
反射防止層６６は、フィルム５８の裏面５８Ｂに形成され、隣り合う凸部６６Ａの距離が可視光の波長以下（例えば０．１μｍ程度）とされた微細な凹凸構造によって構成されている。なお、凹凸構造は、フィルム５８の表面５８Ａにレンチキュラー画像５６を形成した後、例えば表面が凹凸形状とされた鋳型をフィルム５８の裏面５８Ｂに押し当てて、凹凸形状をフィルム５８に転写することにより形成されている。
【００８６】
＜作用及び効果＞
本実施形態によれば、フィルム５８の裏面５８Ｂに微細な凹凸構造を形成することにより、フィルム５８に反射防止層６６を設けている。このため、真空蒸着法等により反射防止層６６を形成する構成と比較して、低コストで、かつ容易に反射防止層６６を形成することができる。
【００８７】
（その他の実施形態）
なお、本開示について実施形態の一例を説明したが、本開示は係る実施形態に限定されるものではなく、本開示の範囲内にて他の種々の実施形態が可能である。また、各実施形態は適宜組み合わせることができる。
【００８８】
例えば、上記の実施形態では、１つの凸状レンズ１２、３２、５２下に、表示用画像列２０、２２、４０、４２、６０、６２がそれぞれ１列ずつ配列されていたが、表示用画像列２０、２２、４０、４２、６０、６２が複数列ずつ配列されていてもよい。１つの凸状レンズ１２、３２、５２下に配列される表示用画像列の数を多くすることで、解像度を高めることができる。
【００８９】
また、上記の実施形態では、レンチキュラー表示体１０、３０、５０は２種類の表示用画像を表示する構成とされていたが、レンチキュラー表示体１０、３０、５０は３種類以上の表示用画像を表示する構成とされていてもよい。
【００９０】
また、第１、第３実施形態では、記録媒体として樹脂製のフィルム１８、５８が用いられていたが、記録媒体は透明とされていればよく、例えばガラス製とされていてもよい。さらに、第３実施形態では、フィルム５８の裏面５８Ｂに反射防止層６６が形成されていたが、微細な凹凸構造が形成された他のフィルムをフィルム５８の裏面５８Ｂに接着することにより、フィルム５８の裏面５８Ｂ側に反射防止層６６を設ける構成としてもよい。
【００９１】
また、例えばフィルム１８、５８の裏面１８Ｂ、５８Ｂとの間に他の樹脂層を介して反射防止層２６、６６を配置する等、反射防止層２６、６６をフィルム１８、５８の裏面１８Ｂ、５８Ｂから離間させて配置してもよい。なお、反射防止層２６、４６、６６の構成も上記実施形態には限られず、他の公知の反射防止層を適用することができる。
【００９２】
また、例えば第１実施形態では、フィルム１８に印刷された表示用画像列２０、２２の間に何ら画像列を配置しない領域を設けることにより、透明スリット画像列２４を形成していたが、透明スリット画像列２４の形成方法は上記実施形態には限られない。例えば、表示用画像列２０が印刷されたフィルムと、表示用画像列２２が印刷されたフィルムとを隙間をあけてそれぞれ配置し、フィルム同士の隙間に透明な樹脂材料を充填する等の方法により透明スリット画像列２４を形成してもよい。
【００９３】
また、透明スリット画像列は、全ての表示用画像列２０、２２、４０、４２、６０、６２の間にそれぞれ設けられている必要はない。例えば表示用画像列２０、４０、６０と表示用画像列２２、４２、６２とが同じ色である領域、すなわち表示用画像列２０、２２、４０、４２、６０、６２が切り替わる際に色が変化しない領域では、透明スリット画像列が設けられていなくてもよい。
【００９４】
また、第１実施形態において、凸状レンズ１２の表面１２Ａは球面状とされていたが、凸状レンズ１２は表面１２Ａが凸面とされていればよく、例えば表面１２Ａが非球面状とされていてもよい。また、例えば凸状レンズ１２が断面三角形状とされていてもよい。
【実施例】
【００９５】
以下、本開示の実施例１〜１２、及び比較例１〜４について具体的に説明するが、本開示は、以下の実施例に限定されるものではない。なお、実施例及び比較例では、画像の視認性（見やすさ）についてＡ〜Ｅの５段階で目視での官能評価を行い、評価Ａ〜Ｃを製品として許容できる範囲とした。評価結果について下記表１に示す。【００９６】
【表１】
0006611956.tif 000002
【００９７】
表１から分かるように、透明スリット画像列が設けられておらず、かつ反射防止層の代わりにレンチキュラー画像の裏面に白色のインクが塗布されている比較例１、及び、透明スリット画像列が設けられておらず、かつ反射防止層の代わりにレンチキュラー画像の裏面に紙が張り合わされている比較例２では、レンチキュラーレンズ内に迷光が生じ、画像の重なりを抑制することができなかった。このため、実施例と比較して画像の視認性が低下した。【００９８】
同様に、透明スリット画像列が設けられているが、反射防止層が設けられていない比較例３、及び、反射防止層が設けられているが、透明スリット画像列が設けられていない比較例４でも、実施例と比較して画像の視認性が低下した。【００９９】
２０１６年９月２８日に出願された日本国特許出願２０１６−１９０２９３の開示は、その全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０１００】
１０、３０、５０、１００    レンチキュラー表示体
１２、３２、５２、１０２    凸状レンズ
１２Ａ 表面
１２Ｂ、３２Ｂ、５２Ｂ      裏面
１４、３４、５４、１０４    レンチキュラーレンズ
１４Ａ 表面
１４Ｂ、３４Ｂ、５４Ｂ      裏面
１６、３６、５６、１０６    レンチキュラー画像
１８、５８    フィルム
１８Ａ、５８Ａ       表面
１８Ｂ、５８Ｂ       裏面
２０、４０、６０     表示用画像列
２２、４２、６２     表示用画像列
２４、４４、６４     透明スリット画像列
２６、４６、６６     反射防止層
２６Ａ 高屈折率膜
２６Ｂ 低屈折率膜
４６Ａ 中空シリカ粒子
６６Ａ 凸部
１０８ 紙
【図１】
0006611956.tif 000003
【図２】
0006611956.tif 000004
【図３】
0006611956.tif 000005
【図４】
0006611956.tif 000006
【図５】
0006611956.tif 000007
【図６】
0006611956.tif 000008
【図７】
0006611956.tif 000009
【図８】
0006611956.tif 000010